(57)【要約】      （修正有）【課題】改修工事が大掛かりとならず、工期を短縮でき、コストを削減できるとともに、レイアウトの自由度が高く、無菌環境下を省エネルギーで維持できる垂直層流タイプの無菌病室及び中継ユニットを提供する。【解決手段】無菌・清浄化された新鮮な空気を天井面から下降する垂直層流として供給する垂直層流タイプの無菌病室において、病室の天井内に設置され、天井面から下方に向けて無菌・清浄化された新鮮な空気を供給する空調機ユニット２と、患者のベッド下に設置され、該ベッドの周囲の空気を吸引して横方向に排気する中継ユニットＴ１と、病室の壁に沿って設置され、下部に吸引口３ａを有するダクトパネル３と、を設ける。【選択図】図１
0003177832.tif 000002
【実用新案登録請求の範囲】
【請求項１】
無菌・清浄化された新鮮な空気を天井面から下降する垂直層流として供給する垂直層流タイプの無菌病室であって、
病室の天井内に設置され、天井面から下方に向けて無菌・清浄化された新鮮な空気を供給する空調機ユニットと、
患者のベッド下に設置され、該ベッドの周囲の空気を吸引して横方向に排気する中継ユニットと、
病室の壁に沿って設置され、下部に吸引口を有するダクトパネルと、を備えたことを特徴とする無菌病室。
【請求項２】
前記中継ユニットは、患者のベッドに装着される吸引枠を有し、該吸引枠の天面に周囲の空気を吸い込む吸込口が設けられている請求項１に記載の無菌病室。
【請求項３】
前記中継ユニットは、患者のベッドに装着される吸引枠を有し、該吸引枠の外周側面に周囲の空気を吸い込む吸込口が設けられている請求項１に記載の無菌病室。
【請求項４】
前記中継ユニットは、患者のベッドと一体となった厚板状の吸引枠を有し、該吸引枠の天面全面に亘って周囲の空気を吸い込む吸込口が設けられている請求項１に記載の無菌病室。
【請求項５】
前記中継ユニットは、ユニット本体の天面に周囲の空気を吸い込む吸込口が設けられており、患者のベッドの下に設置される請求項１に記載の無菌病室。
【請求項６】
請求項１に記載の無菌病室において、患者のベッド下に設置され、該ベッドの周囲の空気を吸引して横方向に排気する中継ユニットであって、患者のベッドに装着される吸引枠を有し、該吸引枠の天面に周囲の空気を吸い込む吸込口が設けられていることを特徴とする中継ユニット。
【請求項７】
請求項１に記載の無菌病室において、患者のベッド下に設置され、該ベッドの周囲の空気を吸引して横方向に排気する中継ユニットであって、患者のベッドに装着される吸引枠を有し、該吸引枠の外周側面に周囲の空気を吸い込む吸込口が設けられていることを特徴とする中継ユニット。
【請求項８】
請求項１に記載の無菌病室において、患者のベッド下に設置され、該ベッドの周囲の空気を吸引して横方向に排気する中継ユニットであって、患者のベッドと一体となった厚板状の吸引枠を有し、該吸引枠の天面全面に亘って周囲の空気を吸い込む吸込口が設けられていることを特徴とする中継ユニット。
【請求項９】
請求項１に記載の無菌病室において、患者のベッド下に設置され、該ベッドの周囲の空気を吸引して横方向に排気する中継ユニットであって、患者のベッドの下に設置され、ユニット本体の天面に周囲の空気を吸い込む吸込口が設けられていることを特徴とする中継ユニット。
【考案の詳細な説明】
【技術分野】
【０００１】
この考案は、無菌・清浄化された新鮮な空気を天井面から下降する垂直層流として供給する垂直層流タイプの無菌病室及び該病室に用いられる中継ユニットに関するものである。
【背景技術】
【０００２】
全身放射線照射による放射線療法や大量の抗癌剤投与を行うと、患者自身の骨髄も損傷して免疫力が極端に低下するため、予め採取した患者自身の造血幹細胞を輸注して、造血機能が回復するまでは、清浄度ＩＳＯ  Ｃｌａｓｓ５という高度に無菌化された病室（以下、単に無菌病室という。）で療養する必要がある。
【０００３】
従来、このような無菌病室は、患者の頭部を風上、足部を風下にして、ＨＥＰＡフィルタ等により無菌・清浄化された新鮮な空気を水平層流として供給する水平層流タイプのものが主流であった（例えば、特許文献１、２）。その理由は、一方向の一様な流れ（層流）を作り出さないと、気流の渦等で舞い上がった塵埃を患者が吸引するおそれがあり、層流を作り出すには、送風する給気側に新鮮な空気を供給するクリーンエアー供給ユニットと、吸引する排気側に吸引した空気を還気チャンバ等に戻すリターンエアー吸引ユニットを設置しなければならず、天井面から床面に向けた垂直層流（下降層流）タイプの無菌病室を作るには、床面を削って掘り下げるなどの工事をして床面に排気（吸引）ユニットを設置しなければならず、既存の病室を改修して垂直層流タイプの無菌病室を作ることは現実的に困難だったからである。
【０００４】
しかし、従来の水平層流タイプの無菌病室は、既存の病室を改修して作る場合は、天井工事に加え、既存壁を取り壊して新たにクリーンエアー供給ユニットやリターンエアー吸引ユニットを壁面に設置する工事が必要であり、工事が大掛かりでコストアップとなるだけでなく、壁面に給気ユニット等を埋め込む関係上、平面的に病室内の他のスペースが圧迫され、治療や処置のスペースがなくなり、肝心な治療行為の効率が低下するといった問題があった。また、病室内の患者の居るスペースも狭まり、患者の人間らしい生活が妨げられるおそれがあるだけでなく、病院全体として床面積あたりの活用効率が低下するといった経営上の不都合もあった。
【０００５】
それに加え、従来の水平層流タイプの無菌病室は、壁工事の範囲を最小化する要請から図１０に示すように、クリーンエアー供給ユニットとリターンエアー吸引ユニットとを一つの壁面内に納めて、患者の頭部側から足元へ向け給気し、反対方向の壁面で折り返して、前室側の同一壁面から吸引・排気するレイアウトが一般的であり、このようなレイアウトだと、患者の居る本室から前室側（ダーティー側）へ大量の無菌・清浄化された空気が流れ出してしまうため、エネルギー面で非効率であり、空調器機のランニングコストが嵩んでしまうという問題もあった。
【０００６】
また、特許文献３には、天井面中央部に設けられた空気供給部から清浄空気を下方に吹き出すとともに、壁面下部に設けられた吸込口から室内空気を吸い込むことで室内を清浄な状態に維持するクリーンルームであって、前記空気供給部の底部の周囲に垂直下方に延びる遮蔽体を設け、該遮蔽体の内側に清浄空気の垂直下方への流れを均一に整流する整流板を設けるとともに、前記遮蔽体の前記整流板より上方の位置には清浄空気を天井面に沿うように水平方向に吹き出すための複数の開口部を設けたクリーンルームが開示されている。
【０００７】
特許文献３に記載のクリーンルームは、垂直層流タイプではあるものの、トイレなど患者が生活するための平面上の細かな区割り等が考慮されていない病院の手術室を念頭に置いたクリーンルームであって、新たなクリーンルームを建物ごと建設する場合の技術であり、本考案が課題としている前述の既存の病室から改修等の工事を行なって無菌病室とする場合の問題が全く認識されておらず、勿論、解決もなされていないものであった。
【先行技術文献】
【特許文献】
【０００８】
【特許文献１】特開平０９−２２２２４７号公報
【特許文献２】特開２００２−３７２２７３号公報
【特許文献３】実用新案登録第２５５１９２３号公報
【考案の概要】
【考案が解決しようとする課題】
【０００９】
そこでこの考案は、前記従来の問題を解決し、改修工事が大掛かりとならず、工期を短縮でき、コストを削減できるとともに、レイアウトの自由度が高く、無菌環境下を省エネルギーで維持できる無菌病室及び中継ユニットを提供することを目的とする。
【課題を解決するための手段】
【００１０】
前記課題を解決するために、請求項１に記載の考案は、無菌・清浄化された新鮮な空気を天井面から下降する垂直層流として供給する垂直層流タイプの無菌病室であって、病室の天井内に設置され、天井面から下方に向けて無菌・清浄化された新鮮な空気を供給する空調機ユニットと、患者のベッド下に設置され、該ベッドの周囲の空気を吸引して横方向に排気する中継ユニットと、病室の壁に沿って設置され、下部に吸引口を有するダクトパネルと、を備えたことを特徴とする。
【００１１】
請求項２に記載の考案は、請求項１に記載の無菌病室において、前記中継ユニットは、患者のベッドに装着される吸引枠を有し、該吸引枠の天面に周囲の空気を吸い込む吸込口が設けられている。
【００１２】
請求項３に記載の考案は、請求項１に記載の無菌病室において、前記中継ユニットは、患者のベッドに装着される吸引枠を有し、該吸引枠の外周側面に周囲の空気を吸い込む吸込口が設けられている。
【００１３】
請求項４に記載の考案は、請求項１に記載の無菌病室において、前記中継ユニットは、患者のベッドと一体となった厚板状の吸引枠を有し、該吸引枠の天面全面に亘って周囲の空気を吸い込む吸込口が設けられている。
【００１４】
請求項５に記載の考案は、請求項１に記載の無菌病室において、前記中継ユニットは、ユニット本体の天面に周囲の空気を吸い込む吸込口が設けられており、患者のベッドの下に設置される。
【００１５】
請求項６に記載の考案は、請求項１に記載の無菌病室において、患者のベッド下に設置され、該ベッドの周囲の空気を吸引して横方向に排気する中継ユニットであって、患者のベッドに装着される吸引枠を有し、該吸引枠の天面に周囲の空気を吸い込む吸込口が設けられていることを特徴とする。
【００１６】
請求項７に記載の考案は、請求項１に記載の無菌病室において、患者のベッド下に設置され、該ベッドの周囲の空気を吸引して横方向に排気する中継ユニットであって、患者のベッドに装着される吸引枠を有し、該吸引枠の外周側面に周囲の空気を吸い込む吸込口が設けられていることを特徴とする。
【００１７】
請求項８に記載の考案は、請求項１に記載の無菌病室において、患者のベッド下に設置され、該ベッドの周囲の空気を吸引して横方向に排気する中継ユニットであって、患者のベッドと一体となった厚板状の吸引枠を有し、該吸引枠の天面全面に亘って周囲の空気を吸い込む吸込口が設けられていることを特徴とする。
【００１８】
請求項９に記載の考案は、請求項１に記載の無菌病室において、患者のベッド下に設置され、該ベッドの周囲の空気を吸引して横方向に排気する中継ユニットであって、患者のベッドの下に設置され、ユニット本体の天面に周囲の空気を吸い込む吸込口が設けられていることを特徴とする。
【考案の効果】
【００１９】
この考案は、前記のようであって、請求項１に記載の考案によれば、無菌・清浄化された新鮮な空気を天井面から下降する垂直層流として供給する垂直層流タイプの無菌病室であって、病室の天井内に設置され、天井面から下方に向けて無菌・清浄化された新鮮な空気を供給する空調機ユニットと、患者のベッド下に設置され、該ベッドの周囲の空気を吸引して横方向に排気する中継ユニットと、病室の壁に沿って設置され、下部に吸引口を有するダクトパネルと、を備えたので、既存の壁を取り壊して新たに給排気ユニットなどを設置する必要がなく、従来の水平層流タイプの無菌病室と比べて、工期の短縮、コストダウンを図ることができる。また、病室内の他のスペースが圧迫されたり、治療や処置のスペースがなくなったりして、肝心な治療行為の効率が低下するといった問題がない。このため、病室内の患者の居るスペースもほとんど変更がなく、人間らしい生活が妨げられるおそれもない。それに加え、病院全体として床面積あたりの活用効率が低下するといった経営上の不都合も解消することができるうえ、前室側に吸引ユニットを設ける必要がなく、無菌・清浄化された空気が前室に漏れ出す割合も低くなり、省エネルギーで、ランニングコストも下げることができる。
【００２０】
請求項２及び６に記載の考案によれば、請求項１に記載の無菌病室において、前記中継ユニットは、患者のベッドに装着される吸引枠を有し、該吸引枠の天面に周囲の空気を吸い込む吸込口が設けられているので、前記作用効果に加え、下降層流を確実に発生させることができる。
【００２１】
請求項３及び７に記載の考案によれば、請求項１に記載の無菌病室において、前記中継ユニットは、患者のベッドに装着される吸引枠を有し、該吸引枠の外周側面に周囲の空気を吸い込む吸込口が設けられているので、前記作用効果に加え、下降層流を確実に発生させることができるとともに、吸込口がベッドのシーツ等で塞がれるおそれがすくなくなる。
【００２２】
請求項４及び８に記載の考案によれば、請求項１に記載の無菌病室において、前記中継ユニットは、患者のベッドと一体となった厚板状の吸引枠を有し、該吸引枠の天面全面に亘って周囲の空気を吸い込む吸込口が設けられているので、前記作用効果に加え、ベッド真上の層流の流速も揃え易くなり、より綺麗な層流として無菌・清浄化された空気を供給することができる。
【００２３】
請求項５及び９に記載の考案によれば、請求項１に記載の無菌病室において、前記中継ユニットは、ユニット本体の天面に周囲の空気を吸い込む吸込口が設けられており、患者のベッドの下に設置されるので、前記作用効果に加え、中継ユニットのセットは、ユニット本体をベッドの下に設置するだけなので、吸引枠等を接続する手間などが省け、さらに、工期を短縮して、レイアウトの自由度を高めることができる。
【図面の簡単な説明】
【００２４】
【図１】この考案の実施例１に係る垂直層流タイプの無菌病室の概略構成を示す斜視図である。
【図２】実施例１に係る中継ユニットを示す構成説明図である。（Ａ）がベッドの長手方向側面を直角に見た正面図、（Ｂ）がその左側面図である。
【図３】実施例１に係るダクトパネルの正面図である。
【図４】この考案の実施例２に係る垂直層流タイプの無菌病室の概略構成を示す斜視図である。
【図５】実施例２に係る中継ユニットを示す構成説明図である。（Ａ）がベッドの長手方向側面を直角に見た正面図、（Ｂ）がその左側面図である。
【図６】この考案の実施例３に係る垂直層流タイプの無菌病室の概略構成を示す斜視図である。
【図７】実施例３に係る中継ユニットを示す構成説明図である。（Ａ）がベッドの長手方向側面を直角に見た正面図、（Ｂ）がその左側面図である。
【図８】この考案の実施例４に係る垂直層流タイプの無菌病室の概略構成を示す斜視図である。
【図９】実施例４に係る中継ユニットを示す構成説明図である。（Ａ）がベッドの長手方向側面を直角に見た正面図、（Ｂ）がその左側面図である。
【図１０】従来の水平層流タイプの無菌病室のレイアウトを示す平面図である。
【考案を実施するための形態】
【００２５】
以下、図面を参照しながら、この考案の実施の形態について説明する。
【実施例１】
【００２６】
図１〜図３を用いて、この考案の一実施の形態である実施例１に係る垂直層流タイプの無菌病室について説明する。
図示する実施例１に係る垂直層流タイプの無菌病室Ｍ１は、病室の天井内に設置され、天井面から下方に向けて給気する空調機ユニット２と、患者のベッド下に設置され、該ベッドの周囲の空気を吸引して側方から横方向に排気する中継ユニットＴ１と、病室の既存の壁に沿って設置される複数のダクトパネル３、などから構成され、無菌・清浄化した空気を天井面から患者のベッドに向けた下降層流（ラミナーフロー：一方向で気流の速さが揃った風）として供給し、無菌環境下を維持する機能を有している。
【００２７】
空調機ユニット２は、ユニット本体である空気を温度調節する空調機２０と、この空調機２０の吸気側に設けられた還気チャンバ２１と、空調機２０の送風側に設けられたＨＥＰＡフィルタ２２（図示せず）などから主に構成され、病室内に温度調節、無菌・清浄化した空気を供給する機能を有している。
【００２８】
この還気チャンバ２１は、外気と連通するダクト２３と、後述の２つのダクトパネル３，３と連通するダクト２４，２５と、が連結され、外気と病室内から戻ってくるリターン空気とを混合して、この混合空気を空調機２０が温度調節する際に静圧で吸引できるように溜めておくチャンバ（房室）としての機能を有している。
【００２９】
なお、ＨＥＰＡフィルタ(High Efficiency Particulate Air Filter)２２は、図示しないが、空調機２０の定格風量で粒径が０．３μｍの粒子に対して９９．９７％以上の粒子捕集率をもち、かつ初期圧力損失が２４５Ｐａ以下の性能を持つエアフィルタであればよく、空調機２０が病室内に給気する空気を無菌・清浄化する機能を有している。
【００３０】
図２に示すように、実施例１に係る中継ユニットＴ１は、ユニット本体Ｔ１０と、患者が寝ているベッドの周りを囲う吸引枠Ｔ１１と、これらユニット本体Ｔ１０と吸引枠Ｔ１１を接続するダクトチューブＴ１２などから構成され、ベッドの周囲の空気を吸引して側方から横方向に排気する機能を有している。
【００３１】
ユニット本体Ｔ１０は、モータ直結型のターボファンＴ１３を有し、一側面に設けられたダクトチューブＴ１２から空気を吸引して、反対方向の側面から横方向に排気するよう構成された、ベッドの枠下に設置可能な上下方向に薄い扁平なユニットとなっている。
【００３２】
また、吸引枠Ｔ１１は、ベッドを囲うように構成された平面視で矩形の枠体であり、天面全面に亘り網の目状の吸込口Ｔ１４が開口されており、ターボファンＴ１３の吸引力でベッド周りの空気を吸引するよう構成されている。
このため、ターボファンＴ１３の吸引力と空調機２０の送風力との協働により、患者の寝ているベッドに天井面から下降する層流を発生させることができるようになっている。
【００３３】
図３に示すように、ダクトパネル３は、アルミ合金などの金属製の枠体に、カラー鋼板などの金属製の板材が貼り合わされて構成された、厚みが４４ｍｍ程度、幅が９００ｍｍ程度、高さが床面から天井面を３００ｍｍ以上超える程の全体として奥行きが薄いパネル状のダクトである。そして、下部には、中継ユニットＴ１からの排気を吸引する吸引口３ａが設けられ、上部の天井面を超える位置には、前述のダクト２４，２５が取り付けられる２００φ程度のダクト穴３ｂが開口されており、吸引口３ａからダクト穴３ｂに向け鉛直方向に気流を案内するダクトとなっている。
【００３４】
なお、このダクトパネル３は、病室の間取りに応じて同形のダクトパネルを複数並べて設置することで、自由なレイアウトを実現できるようになっており、本実施例では、２つのダクトパネル３，３が併設されている。
また、ダクトパネル３の内部には、空調機２０へのリターン空気が隣室の熱影響を受けないために、発泡ウレタンからなるシート状の断熱材が壁側に装着されている。
【００３５】
以上のように、実施例１に係る垂直層流タイプの無菌病室Ｍ１によれば、天井工事は従来通り必要ではあるものの、中継ユニットＴ１を患者のベッド周りに置いて、病室の間取りに応じて既存の壁沿いにダクトパネル３を並べて配置するだけで、無菌・清浄化された新鮮な空気を天井面から垂直に下降する層流として供給することができる。このため、既存の壁を取り壊して新たに給排気ユニットを設置する必要がなく、従来の水平層流タイプの無菌病室と比べて、工期の短縮、コストダウンを図ることができる。
【００３６】
また、無菌病室Ｍ１を設置することで既存の病室の間取りが変わるところは、薄いダクトパネル３を設置する分狭くなるぐらいのもので、病室内の他のスペースが圧迫され、治療や処置のスペースがなくなり、肝心な治療行為の効率が低下するといった問題を解決することができる。このため、病室内の患者の居るスペースもほとんど変更がなく、人間らしい生活が妨げられるおそれもない。
それに加え、病院全体として床面積あたりの活用効率が低下するといった経営上の不都合も解消することができるうえ、前室側に吸引ユニットを設ける必要がなく、無菌・清浄化された空気が前室に漏れ出す割合も低くなり、省エネルギーで、ランニングコストも下げることができる。
【００３７】
次に、図４、図５を用いて、この考案の実施例２に係る垂直層流タイプの無菌病室について説明する。実施例２に係る垂直層流タイプの無菌病室Ｍ２が、実施例１に係る垂直層流タイプの無菌病室Ｍ１と相違する点は、中継ユニットだけであるので、中継ユニットについて主に説明し、その他の同一構成は、同一符号を付し、説明を省略する。
【００３８】
垂直層流タイプの無菌病室Ｍ２の中継ユニットＴ２は、前記ユニット本体Ｔ１０と同構成のユニット本体Ｔ２０と、患者が寝ているベッドの周りを囲う吸引枠Ｔ２１と、これらユニット本体Ｔ２０と吸引枠Ｔ２１を接続するダクトチューブＴ２２などから構成されており、吸引枠Ｔ２１が、吸引枠Ｔ１１と相違する点は、全体としてベッドを囲う枠体の側面が網の目状の吸込口Ｔ２４となっている点である。
このため、垂直層流タイプの無菌病室Ｍ２によれば、無菌病室Ｍ１と比べ、中継ユニットＴ２の吸込口がベッドのシーツ等で塞がれるおそれがすくなくなるというメリットがある。
【００３９】
次に、図６、図７を用いて、この考案の実施例３に係る垂直層流タイプの無菌病室について説明する。実施例３に係る垂直層流タイプの無菌病室Ｍ３が、実施例１に係る垂直層流タイプの無菌病室Ｍ１と相違する点は、中継ユニットだけであるので、中継ユニットについて主に説明し、その他の同一構成は、同一符号を付し、説明を省略する。
【００４０】
垂直層流タイプの無菌病室Ｍ３の中継ユニットＴ３は、前記ユニット本体Ｔ１０と同構成のユニット本体Ｔ３０と、ベッドのマットレス下にベッド枠と一体となった厚板状の吸引枠Ｔ３１と、これらユニット本体Ｔ３０と吸引枠Ｔ３１を接続するダクトチューブＴ３２などから構成されている。この吸引枠Ｔ３１は、厚板状の天面全体が網の目状の吸込口Ｔ３４となっており、マットレスを介してベッド上方の空気を吸引する構成となっている。
このため、垂直層流タイプの無菌病室Ｍ３によれば、無菌病室Ｍ１やＭ２と比べ、ベッド真上の層流の流速も揃え易くなり、より綺麗な層流として無菌・清浄化された空気を供給することができる。
【００４１】
次に、図８、図９を用いて、この考案の実施例４に係る垂直層流タイプの無菌病室について説明する。実施例４に係る垂直層流タイプの無菌病室Ｍ４が、実施例１に係る垂直層流タイプの無菌病室Ｍ１と相違する点は、中継ユニットだけであるので、中継ユニットについて主に説明し、その他の同一構成は、同一符号を付し、説明を省略する。
【００４２】
垂直層流タイプの無菌病室Ｍ４の中継ユニットＴ４は、吸引枠やダクトチューブがなく主にユニット本体Ｔ４０からなり、このユニット本体Ｔ４０は、ターボファンＴ４１を有し、ユニット本体Ｔ４０の天面に直接吸込口Ｔ４２が設けられており、この吸込口Ｔ４２から周りの空気を吸引し、一側面からから横方向に排気するようになっている。
【００４３】
このため、垂直層流タイプの無菌病室Ｍ４によれば、他の無菌病室Ｍ１〜Ｍ３と比べ、吸引枠をベッド枠に嵌め込んだり、吸引枠とダクトチューブを接続したりする手間が省け、中継ユニットＴ４をベッドの下に設置するだけでよいので、さらに、工期を短縮して、レイアウトの自由度を高めることができる。
【００４４】
以上のように、この考案の実施の形態に係る垂直層流タイプの無菌病室を説明したが、図面で示した各手段・構成の形状や構造等も、あくまでも好ましい一例を示すものであり、実用新案登録請求の範囲内で適宜設計変更が可能であることは云うまでもない。特に、中継ユニットは、周囲の空気を吸引して横方向に排気することができる縦方向に扁平なユニットであればよく、空調機ユニットや中継ユニットなどのファン等の部品も例示した以外の既知のファン等の部品でも同様の作用効果を奏することは明らかである。
【符号の説明】
【００４５】
Ｍ１，Ｍ２，Ｍ３，Ｍ４            垂直層流タイプの無菌病室
２                                空調機ユニット
２０                              空調機
２１                              還気チャンバ
２２                              ＨＥＰＡフィルタ
３                                ダクトパネル
３ａ                              吸引口
Ｔ１，Ｔ２，Ｔ３，Ｔ４            中継ユニット
Ｔ１０，Ｔ２０，Ｔ３０，Ｔ４０    ユニット本体
Ｔ１１，Ｔ２１，Ｔ３１            吸引枠
Ｔ１２，Ｔ２２，Ｔ３２            ダクトチューブ
Ｔ１３，Ｔ２３，Ｔ３３，Ｔ４１    ターボファン（ファン）
Ｔ１４，Ｔ２４，Ｔ３４，Ｔ４２    吸込口
【図１】
0003177832.tif 000003
【図２】
0003177832.tif 000004
【図３】
0003177832.tif 000005
【図４】
0003177832.tif 000006
【図５】
0003177832.tif 000007
【図６】
0003177832.tif 000008
【図７】
0003177832.tif 000009
【図８】
0003177832.tif 000010
【図９】
0003177832.tif 000011
【図１０】
0003177832.tif 000012